【手続補正書】
【提出日】平成16年11月16日(2004.11.16)
【手続補正１】
【補正対象書類名】明細書
【補正対象項目名】特許請求の範囲
【補正方法】変更
【補正の内容】
【特許請求の範囲】
【請求項１】
光源と、前記光源から射出される光を複数の色光に分離する色分離手段と、前記色分離手段により分離された複数の色光を変調する複数の光変調手段と、前記複数の光変調手段により変調された色光を合成する色合成手段と、前記色合成手段により合成された光を投射する投射手段とを有する投射型表示装置であって、
分離された少なくとも１つの色光の光路上において、前記光変調手段と前記色分離手段との間に、前記色光の光量を調節する第１の調光手段を備え、外部からの情報に基づいて前記第１の調光手段を制御することによって該第１の調光手段を透過する色光の光量を調節可能な構成としたことを特徴とする投射型表示装置。
【請求項２】
前記光源と前記色分離手段との間に、前記光源から射出された光の光量を調節する第２の調光手段を備え、外部からの情報に基づいて前記第２の調光手段を制御することによって該第２の調光手段を透過する前記光源から射出された光について光量を調節可能としたことを特徴とする請求項１記載の投射型表示装置。
【請求項３】
前記色分離手段により分離された複数の色光が、赤色光、緑色光、青色光であり、前記複数の光変調手段は前記赤色光を変調する赤色光用変調手段と前記緑色光を変調する緑色光用変調手段と前記青色光を変調する青色光用変調手段であり、
前記複数の光変調手段と前記色分離手段との間にそれぞれ前記第１の調光手段が備えられ、外部からの情報に基づいてこれら第１の調光手段を制御することによって該第１の調光手段を透過する光量を調節可能な構成としたことを特徴とする請求項１記載の投射型表示装置。
【請求項４】
前記色分離手段により分離された複数の色光が、赤色光、緑色光、青色光であり、前記複数の光変調手段は前記赤色光を変調する赤色光用変調手段と前記緑色光を変調する緑色光用変調手段と前記青色光を変調する青色光用変調手段であり、
緑色光路上において前記緑色光用変調手段と前記色分離手段との間に前記第１の調光手段が備えられ、外部からの情報に基づいて前記第１の調光手段を制御することによって該第１の調光手段を透過する緑色光の光量を調節可能な構成としたことを特徴とする請求項２記載の投射型表示装置。
【請求項５】
前記色分離手段により分離された複数の色光が、赤色光、緑色光、青色光であり、前記複数の光変調手段は前記赤色光を変調する赤色光用変調手段と前記緑色光を変調する緑色光用変調手段と前記青色光を変調する青色光用変調手段であり、
青色光路上において前記青色光用変調手段と前記色分離手段との間に前記第１の調光手段が備えられ、外部からの情報に基づいて前記第１の調光手段を制御することによって該第１の調光手段を透過する青色光の光量を調節可能な構成としたことを特徴とする請求項２記載の投射型表示装置。
【請求項６】
前記色分離手段により分離された複数の色光が、赤色光、緑色光、青色光であり、前記複数の光変調手段は前記赤色光を変調する赤色光用変調手段と前記緑色光を変調する緑色光用変調手段と前記青色光を変調する青色光用変調手段であり、
緑色光路上の前記緑色光用変調手段と前記色分離手段との間及び青色光路上の前記青色光用変調手段と前記色分離手段との間にそれぞれ前記第１の調光手段が備えられ、外部からの情報に基づいてこれら第１の調光手段を制御することによって該第１の調光手段を透過する青色光の光量と緑色光の光量をそれぞれ調節可能な構成としたことを特徴とする請求項２記載の投射型表示装置。
【請求項７】
光源と、前記光源から射出された光を順次複数の色光に分離する色分離手段と、前記色分離手段により分離された各色光を変調する光変調手段と、前記光変調手段により変調された各色光を順次投射する投射手段とを有する投射型表示装置であって、
前記色分離手段と前記光変調手段との間に、前記色分離手段から各色光が射出されるタイミングに同期して各色毎の光量が調節可能な第１の調光手段を備え、外部からの情報に基づいて前記第１の調光手段を制御することによって該第１の調光手段を透過する光量を調節可能としたことを特徴とする投射型表示装置。
【請求項８】
光源と、前記光源から射出された光を順次複数の色光に分離する色分離手段と、前記色分離手段により分離された各色光を変調する光変調手段と、前記光変調手段により変調された各色光を順次投射する投射手段とを有する投射型表示装置であって、
前記光源と前記色分離手段との間に、前記色分離手段から各色光が射出されるタイミングに同期して前記光源から射出された光の光量が調節可能な第２の調光手段を備え、外部からの情報に基づいて前記第２の調光手段を制御することによって該第２の調光手段を透過する光源から射出された光の光量を調節可能としたことを特徴とする投射型表示装置。
【請求項９】
異なる色光をそれぞれ射出することが可能な複数の光源と、前記複数の光源に対応して設けられ各色光を変調する複数の光変調手段と、前記複数の光変調手段により変調された色光を合成する色合成手段と、前記色合成手段により合成された光を投射する投射手段とを有する投射型表示装置であって、
前記異なる色光のうち少なくとも１つの色光の光路上において、前記光源と前記光変調手段との間に、前記色光の強度を調節する第１の調光手段を備え、外部からの情報に基づいて前記第１の調光手段を制御することによって該第１の調光手段を透過する光量を調節可能な構成としたことを特徴とする投射型表示装置。
【請求項１０】
前記異なる色光が、赤色光、緑色光、青色光であり、前記複数の光変調手段は前記赤色光を変調する赤色光用変調手段と前記緑色光を変調する緑色光用変調手段と前記青色光を変調する青色光用変調手段であり、
前記複数の光源と複数の光変調手段との間にそれぞれ前記第１の調光手段が備えられ、外部からの情報に基づいてこれら第１の調光手段を制御することによって該第１の調光手段を透過する光量を調節可能な構成としたことを特徴とする請求項９記載の投射型表示装置。
【請求項１１】
異なる色光を順次射出することが可能な光源と、前記各色光を変調する光変調手段と、前記光変調手段により変調された各色光を順次投射する投射手段とを有する投射型表示装置であって、
前記光源と前記光変調手段との間に、前記光源から各色光が射出されるタイミングに同期して各色毎の光量が調節可能な第１の調光手段を備え、外部からの情報に基づいて前記第１の調光手段を制御することによって該第１の調光手段を透過する光量を調節可能としたことを特徴とする投射型表示装置。
【請求項１２】
前記第１の調光手段の少なくとも１つは、調光用液晶素子であることを特徴とする請求項１乃至７、９乃至１１のいずれか一項に記載の投射型表示装置。
【請求項１３】
前記第１の調光手段の少なくとも１つは、ロールスクリーン方式又は円盤回転方式のシャッタであることを特徴とする請求項１乃至７、９乃至１１のいずれか一項に記載の投射型表示装置。
【請求項１４】
映像信号に基づいて前記第１の調光手段及び／又は第２の調光手段を制御する制御信号を決定する制御信号決定手段と、前記制御信号に基づいて前記第１の調光手段及び／又は第２調光手段を制御する調光制御手段とを備えたことを特徴とする請求項１乃至１３のいずれか一項に記載の投射型表示装置。
【請求項１５】
請求項１乃至１４のいずれか一項に記載の投射型表示装置の駆動方法であって、
映像信号に基づいて前記第１の調光手段及び／又は第２の調光手段を制御する制御信号を決定し、前記制御信号に基づいて前記第１の調光手段及び／又は第２の調光手段を制御することにより前記光変調手段に入射される光量を調節することを特徴とする投射型表示装置の駆動方法。